(57)【特許請求の範囲】
【請求項１】
引出し前板と、底板と側板を有する引出し部材との間に、前記引出し前板の傾きを調整できる調整具を備えた引出しであって、
前記調整具は、前記引出し前板の背面に固定される固定部と、該固定部から延出されて該固定部に対し略平行状をなす可動部と、該可動部に形成されたネジ孔に螺合されて前記固定部に向かって延びるネジとを備え、該ネジを回して該ネジの先端を前記固定部に押し付けた時に前記可動部が前記引出し部材の側板の前端を後方側へ押すように構成した
ことを特徴とする引出し。
【請求項２】
前記調整具が弾性金具である請求項１に記載の引出し。
【請求項３】
引出しの前板の傾きを調整するための調整具であって、
該調整具は、前記前板の背面に固定される固定部と、該固定部から延出された可動部と、該可動部に形成されたネジ孔に螺合されたネジを備え、該ネジを前記ネジ孔にねじ込んで該ネジの先端を前記固定部に押し付けることができるように構成した
ことを特徴とする引出しの前板調整具。
【発明の詳細な説明】
【技術分野】
【０００１】
本発明は、引出し、及び、引出しの前板の傾きを調整できる調整具に関するものである。
【背景技術】
【０００２】
従来、前板の傾きを調整できる機能を備えたキャビネットの引出しとして、例えば特許文献１に開示されているようなものがある。
この特許文献１の引出しでは、Ｌ形具の立上り片上部に設けたねじ孔に螺合し、かつ先端が引出し前板裏面に設けた台座に当接して、引出し前板の前後方向の傾きを調整できる調整ねじと、
頭部がＬ形具の立上り片に設けた孔周縁に係合し、かつ台座のねじ孔に螺合して、Ｌ形具と台座とを連結する結合ねじとを備えて、引出しの前板の傾きを調整できるものとなっている。
【先行技術文献】
【特許文献】
【０００３】
【特許文献１】実開昭６１−６０７４６号公報
【発明の概要】
【発明が解決しようとする課題】
【０００４】
上記特許文献１に開示されている引出しでは、引出し前板と引出し底板をＬ形具と台座で組み付けている構造であり、Ｌ形具と台座を後付けする思想はなく、引出しの前板の傾き調整機能を後付けで追加できるものではなかった。
【課題を解決するための手段】
【０００５】
本発明は、既存の引出しに調整具を後付けして、引出しの前板の傾きを調整できる機能を追加できる引出し、及び、引出しの前板の傾きを調整できる後付け可能な調整具の提供を目的とし、この目的の少なくとも一部を達成するために以下の手段を採った。
本発明は、引出し前板と、底板と側板を有する引出し部材との間に、前記引出し前板の傾きを調整できる調整具を備えた引出しであって、
前記調整具は、前記引出し前板の背面に固定される固定部と、該固定部から延出されて該固定部に対し略平行状をなす可動部と、該可動部に形成されたネジ孔に螺合されて前記固定部に向かって延びるネジとを備え、該ネジを回して該ネジの先端を前記固定部に押し付けた時に前記可動部が前記引出し部材の側板の前端を後方側へ押すように構成したことを要旨とする。
【発明の効果】
【０００６】
本発明では、前板等に加工が不要で、引出しの形状を変えることなく引出しの前板に調整具を後付けでき、この調整具のネジを回して容易に引出しの前板の傾きを調整することができる。従って、既存の引出しに調整具を後付けして、コストを削減して引出しの前板の傾きを調整できる機能を追加できるものとなる。
【０００７】
また、本発明の引出しにおいて、前記調整具が弾性金具であるものとすることもできる。
こうすれば、調整具には弾性が付与されているため、ネジを手回しするのみで、引出しの前板の傾きを良好に調整可能となる。
【０００８】
また、本発明の、引出しの前板の傾きを調整するための調整具は、前板の背面に固定される固定部と、固定部から延出された可動部と、可動部に形成されたネジ孔に螺合されたネジを備え、ネジをネジ孔にねじ込んでネジの先端を固定部に押し付けることができるように構成したことを要旨とする。
こうすれば、既存の引出しの前板に調整具を後付けして、調整具のネジを操作することで引出し前板の傾きを調整でき、調整具の後付けで前板の傾き調整機能を追加できるものとなる。
【図面の簡単な説明】
【０００９】
【図１】引出しを構成する引出し部材と引出し前板の分解要部斜視構成図である。
【図２】引出しの側面構成図である。
【図３】引出しの前板の背面に固定金具と調整具を左右それぞれ取り付けた状態の引出し前板の裏面図である。
【図４】引出し前板の背面に固定金具と調整具が取り付けられた状態の縦断面拡大構成図である。
【図５】調整具の側面構成図である。
【図６】図５の調整具の正面図である。
【図７】図５の調整具の平面概略構成図である。
【図８】調整具を取り付ける前の引出しの側面構成図である。
【図９】調整具を取り付ける前の引出し前板の裏面図である。
【発明を実施するための形態】
【００１０】
次に、本発明を実施するための形態を実施例を用いて説明する。
図１は、引出し部材と引出し前板を分解した要部斜視構成図であり、図２は、引出し部材と引出し前板が組み付けられ、更に調整具が後付けされた引出しの側面構成図であり、図３は、固定金具と調整具を取り付けた引出し前板の裏面図である。
【００１１】
引出し１は、洗面台等のキャビネットに引き出し可能に設けられる引出しであって、引出し部材２と、この引出し部材２の前端に組み付けられる引出し前板６で構成されている。なお、図中６ｂは引出し前板６の前面に取り付けられた引き手部であり、この引き手部６ｂに手をかけて引出し１を引き出し操作することができるものである。
引出し部材２の前端に引出し前板６を組み付けるために、引出し前板６の背面６ａには、左右側にそれぞれ固定金具７Ａ，７Ｂが取り付けられており、また、引出し前板６の引出し部材２に対する傾きを調整するために、引出し前板６の背面６ａには左右側にそれぞれ調整具８Ａ，８Ｂが後付けされる。
【００１２】
引出し１を構成する引出し部材２は、底板３の左右側に側鋼板（側板）４，５が連結固定されて構成され、左右側の側鋼板４，５のそれぞれの上端側にはレール部４ａ，５ａが一体形成されており、また、左右側の側鋼板４，５のそれぞれの前端側には上下調整用の切欠４ｂ，５ｂが形成されている。
なお、レール部４ａ，５ａは、水平片４ａａ，５ａａが外側へ水平状に突出され、水平片４ａａ，５ａａの外端に垂下状に垂下片４ａｂ，５ａｂが形成されたものである。
【００１３】
引出し前板６の背面６ａの左右側に固設された固定金具７Ａ，７Ｂは左右対称形状に形成されて、それぞれ引出し前板６の背面６ａに固定される固定片７１の内端に引出し部材２側へ突出して連結片７２が一体形成されたＬ字状をなすものである。
なお、図８は、調整具８Ａ，８Ｂを取り付ける前の引出し１の側面構成図であり、図９は、調整具８Ａ，８Ｂを取り付ける前の引出し前板６の裏面図であり、この図８および図９において、固定金具７Ａ，７Ｂについて先に説明する。
【００１４】
左右の固定金具７Ａ，７Ｂのそれぞれの固定片７１，７１は、各固定片７１に上下に２個形成されている横長状の横長孔７１ａ，７１ａ内にそれぞれ左右調整ネジ９，９を入れて、左右調整ネジ９，９を引出し前板６の背面６ａに締め付けることで、各固定片７１が引出し前板６の背面６ａに当接状に固定される。
【００１５】
左右の固定金具７Ａ，７Ｂのそれぞれの連結片７２，７２は、引出し部材２の側鋼板４，５の内側にそれぞれ当接状に配置されて、それぞれ連結片７２，７２に各側鋼板４，５の外側から図８に示すように外側金具７３が固定ネジ１０により取り付けられる。
この外側金具７３にはカム付きの上下調整ネジ１１が設けられ、また、外側金具７３には上下方向に長い縦長孔７３ａが形成されている。
【００１６】
この外側金具７３は、引出し部材２の左右の側鋼板４，５にそれぞれ形成されている上下調整用切欠４ｂ，５ｂの位置に配置され、外側金具７３の外側から固定ネジ１０を固定金具７Ａ，７Ｂの連結片７２に締め付けることで、連結片７２と外側金具７３間に側鋼板４，５がそれぞれ挟み込まれて引出し部材２が連結されるものである。
【００１７】
なお、引出し前板６が上下にずれている場合には、カム付きの上下調整ネジ１１を適宜回して調整することで、引出し部材２を上下動させて上下調整できるように構成されている。上下調整した後に固定ネジ１０を締め付けて上下位置が固定される。
また、前板が左右にずれているような場合には、図９に示すように、左右調整ネジ９，９を緩めて、固定片７１に形成されている横長孔７１ａ，７１ａを介して引出し前板６を左右方向に位置調整することができ、調整後に左右調整ネジ９，９を締め付けて左右位置を固定させることができる。
【００１８】
このように、引出し前板６に固設された固定金具７Ａ，７Ｂを介して、引出し部材２に対する引出し前板６の上下左右位置を適正に調整して組み付け、引出し１が形成されている。
この引出し１に対し、後付けで調整具８Ａ，８Ｂを取り付けて、引出し前板６の傾きを調整できる機能を引出し１に追加できるものである。
例えば、洗面台等のキャビネットが設置される現場の床が水平でない場合等には、引出し前板６の傾きを調整する必要が生じるが、既存の引出し１に左右の調整具８Ａ，８Ｂを後付けすることで、容易に引出し前板６の傾き調整が可能となる。しかも、調整具８Ａ，８Ｂの引出し前板６への取り付けに際し、引出し前板６には専用の取り付け加工等は不要であり、コストを低減させて調整具８Ａ，８Ｂの後付けが可能となっている。
【００１９】
図２の引出しの側面図、および図３の引出し前板の裏面図においては、引出し前板６の背面の左右の固定金具７Ａ，７Ｂの上部位置に、それぞれ調整具８Ａ，８Ｂを後付けした状態を示しており、図４では、調整具８Ａ（図１および図３における左側の調整具）の取り付け状態の縦断面拡大図を示している。
なお、図５の側面図、図６の正面図、図７の平面概略図では、図１および図３における図示右側の調整具８Ｂを示している。
【００２０】
この左右の調整具８Ａ，８Ｂは、左右対称の形状をなし、ズレ防止片８４の位置が異なるものとなっている。
各調整具８Ａ，８Ｂは、弾性が付与されたバネ鋼で形成されており、固定部８１の上端から後方側へ下傾状に傾斜部８２が一体形成され、傾斜部８２の後端に、固定部８１と略平行状に垂下する可動部８３が一体形成され、可動部８３の下端には、固定部８１側へ下傾して前向き折れ片８３ｃが一体形成され、前向き折れ片８３ｃの前端から垂下状に垂下片８３ｄが一体形成されている。
【００２１】
この調整具８Ａ，８Ｂの、各固定部８１には横方向に長い横長孔８１ａが形成され、傾斜部８２には縦方向に長く切り欠いて縦抜き孔８２ａが形成され、可動部８３には、横長孔８１ａと同じ高さ位置に大径のネジ通し孔８３ａが形成されている。また、可動部８３のネジ通し孔８３ａの下方には、雌ネジを形成したネジ孔８３ｂが形成されている。
また、固定部８１の下端には、前向き折れ片８３ｃと平行状に後方側へ向かって後向き折れ片８１ｂが一体形成されている。
この後向き折れ片８１ｂと前向き折れ片８３ｃ間に、前述した固定金具７Ａ，７Ｂの固定片７１の上端に後方側へ向かって上傾状に一体形成されている上端折れ片７１ｂが嵌まり込むように構成されている。
【００２２】
従って、既に引出し前板６に固設されている固定金具７Ａ，７Ｂの各固定片７１の上端折れ片７１ｂに対し、調整具８Ａ，８Ｂの後向き折れ片８１ｂ，前向き折れ片８３ｃを係合させて位置決めし、調整具８Ａ，８Ｂを容易に引出し前板６の背面６ａに後付けできるものである。なお、調整具８Ａ，８Ｂの取り付け時に、可動部８３の下端の垂下片８３ｄを、固定金具の固定片７１と引出し部材２のレール部４ａ，５ａの前端間に挿入させて、垂下片８３ｄを引出し部材２のレール部４ａ，５ａの前端に当接させておく。
【００２３】
可動部８３に形成されたネジ通し孔８３ａ側から固定ネジ１２を通し、固定ネジ１２を固定部８１の横長孔８１ａに通して、固定ネジ１２を引出し前板６に締め付け、固定ネジ１２を介して引出し前板６に調整具８Ａ，８Ｂの固定部８１を固定することができ、この時に、横長孔８１ａを介して調整具８Ａ，８Ｂの左右方向位置を調整できるものである。
【００２４】
なお、調整具８Ａ，８Ｂの固定部８１の左右方向端縁から後方側へ一体状に延びてズレ防止片８４が形成されており、このズレ防止片８４は、図３に示すように、各固定金具７Ａ，７Ｂの連結片７２の内側に当接させておき、ズレ防止片８４により調整具８Ａ，８Ｂの左右方向へのズレを防ぐことができる。
【００２５】
調整具８Ａ，８Ｂの可動部８３のネジ孔８３ｂには、雄ネジを形成したネジ１３が螺合され、このネジ１３の後端には外周がローレット加工された手回し部１３ａが設けられており、この手回し部１３ａを指で回してネジ１３の先端を前後方向に螺進退させることができ、ネジ１３の先端（前端）を固定部８１に押し付けた時には、引出し部材２のレール部４ａ，５ａの前端に当接している可動部８３の下端の垂下片８３ｄが後方側へ移動して、引出し部材２を後方側へ押すことができるように構成されている。
【００２６】
現場において引出し前板６の傾きを調整する際には、ネジ１３の手回し部１３ａを回して、ネジ１３の先端を固定部８１に押し付けることにより、垂下片８３ｄが引出し部材２を後方側へ押し、これにより図４の矢印で示すように、引出し前板６の上部が前方側へ傾いてゆくこととなり、適宜ネジ１３を回して傾き角度を調整でき、工具を用いることなく手回しで引出し前板６の傾きを容易に調整することができる。
【００２７】
このように、既存の引出し１の前板６の背面６ａに、調整具８Ａ，８Ｂを固定ネジ１２で容易に後付けすることができ、各調整具８Ａ，８Ｂのネジ１３を手回し部１３ａを介して手回しで回転させて、容易に引出し前板６の傾きの調整ができ、調整具８Ａ，８Ｂを後付けすることで既存の引出し１に引出し前板６の傾き調整機能を追加することができるものとなり、調整具８Ａ，８Ｂの取り付けに際しては専用の取り付け加工等を引出し前板６に施す必要はなく、安価に引出し調整具８Ａ，８Ｂを後付けして引出し前板６の傾きが調整可能な引出し１とすることができる。
【符号の説明】
【００２８】
１  引出し
２  引出し部材
３  底板
４，５  側鋼板（側板）
４ａ，５ａ  レール部
６  引出し前板
６ａ  背面
７Ａ，７Ｂ  固定金具
８Ａ，８Ｂ  調整具
９  左右調整ネジ
１１  上下調整ネジ
１２  固定ネジ
１３  ネジ
１３ａ  手回し部
７１  固定片
７１ａ  横長孔
７１ｂ  上端折れ片
７２  連結片
７３  外側金具
８１  固定部
８１ａ  横長孔
８１ｂ  後向き折れ片
８２  傾斜部
８２ａ  縦抜き孔
８３  可動部
８３ａ  ネジ通し孔
８３ｂ  ネジ孔
８３ｃ  前向き折れ片
８３ｄ  垂下片
【図１】
0005465110.tif 000002
【図２】
0005465110.tif 000003
【図３】
0005465110.tif 000004
【図４】
0005465110.tif 000005
【図５】
0005465110.tif 000006
【図６】
0005465110.tif 000007
【図７】
0005465110.tif 000008
【図８】
0005465110.tif 000009
【図９】
0005465110.tif 000010